【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
人工呼吸を行うための人工呼吸器（１０）であって、
−  人工呼吸ガス源（１６）、
−  前記人工呼吸ガス源（１６）と、患者側の近位端との間に延在する人工呼吸導管アセンブリ（３０）、
−  吸気弁（２０）及び呼気弁（２２）を含む弁アセンブリ（２０、２２）、
−  前記人工呼吸導管アセンブリ（３０）内のガスフローの定量的検出のためのフローセンサアセンブリ（４４、４８）であって、前記人工呼吸導管アセンブリ（３０）の患者側端部から遠く離れて配置された遠位フローセンサ（４８）と、前記人工呼吸導管アセンブリ（３０）の患者側端部の近くに位置する近位フローセンサ（４４）とを有するフローセンサアセンブリ、及び、
−  少なくとも前記フローセンサアセンブリ（４４、４８）の測定信号を処理するための制御装置（１８）であって、前記遠位フローセンサ（４８）及び／又は前記近位フローセンサ（４４）の測定信号に基づいて、エラーを推測するように構成されており、前記近位フローセンサ（４４）及び前記遠位フローセンサ（４８）の内の一方のフローセンサ（４４）の測定信号（５４、５８、６８、７２）の変化値（６２、７６）の、
−  それぞれ他方のフローセンサ（４８）の測定信号（５２、５６、６６、７０）の変化値（６０、７４）との比較、及び／又は、
−  一方のフローセンサ（４４）の測定信号（５４、５８、６８、７２）との比較に基づいて、前記フローセンサアセンブリ（４４、４８）のエラーを推測するように構成された制御装置（１８）、
を有する人工呼吸器（１０）において、
前記制御装置（１８）が、
前記近位フローセンサ（４４）の測定信号（５４、５８、６８、７２）の、相前後して発生する変化値（６２、７６）の合計値の、第１の基準値に対する比が、所定の基準閾値を上回る場合、及び、
−  前記遠位フローセンサ（４８）の測定信号（５２、５６、６６、７０）の、相前後して発生する変化値（６０、７４）の合計値の、第２の基準値に対する比が、所定の基準閾値を下回る場合に、
前記フローセンサアセンブリ（４４、４８）のエラーを推測するように構成されていることを特徴とする人工呼吸器。
【請求項２】
前記遠位フローセンサ（４８）及び前記近位フローセンサ（４４）の内の一方のフローセンサ（４４又は４８）の測定信号（５４、５８、６８、７２又は５２、５６、６６、７０）の変化値（６２、７６又は６０、７４）が、それぞれ他方のフローセンサ（４８又は４４）の変化値（６０、７４又は６２、７６、６０、７４）とは反対の変化方向を有している場合に、前記フローセンサアセンブリ（４４、４８）のエラーを推測するように、前記制御装置（１８）が構成されていることを特徴とする、請求項１に記載の人工呼吸器。
【請求項３】
前記近位フローセンサ（４４）の測定信号（５４、５８、６８、７２）の変化値（６２、７６）が直接連続する、及び／又は、前記遠位フローセンサ（４８）の測定信号（５２、５６、６６、７０）の変化値（６０、７４）が直接連続することを特徴とする、
請求項１又は２に記載の人工呼吸器。
【請求項４】
前記第１の基準値及び／又は前記第２の基準値が、前記近位フローセンサ（４４）の測定信号値であることを特徴とする、請求項１から３のいずれか一項に記載の人工呼吸器。
【請求項５】
前記測定信号値が、前記変化値（６２、７６、６０、７４）の合計の開始時又は開始直前における、前記近位フローセンサ（４４）の測定信号値であることを特徴とする、請求項４に記載の人工呼吸器。
【請求項６】
前記近位フローセンサ（４４）の測定信号値及び／又は変化値が、所定の信号閾値（６４）を上回る場合に、変化値（６２、７６、６０、７４）の合計を開始するように、前記制御装置（１８）が構成されていることを特徴とする、請求項１から５のいずれか一項に記載の人工呼吸器。
【請求項７】
前記制御装置（１８）が、前記近位フローセンサ（４４）及び前記遠位フローセンサ（４８）の測定信号を呼吸毎に処理するように構成されており、前記近位フローセンサ（４４）の測定信号値が、閾値呼吸における所定の信号閾値（６４）を上回る場合に、第１及び／又は第２の基準値が、前記閾値呼吸の直前の呼吸に割り当てられる、前記近位フローセンサ（４８）の測定信号値であることを特徴とする、請求項１から６のいずれか一項に記載の人工呼吸器。
【請求項８】
−  前記近位フローセンサ（４４）の測定信号の、相前後して発生する、直接連続する変化値の合計値の、第３の基準値に対する比が、所定の基準閾値を上回る場合、及び、
−  前記遠位フローセンサ（４８）の測定信号の、相前後して発生する、直接連続する変化値の合計値の、第４の基準値に対する比が、所定の基準閾値を下回る場合に、前記フローセンサアセンブリ（４４、４８）のエラーを推測するように、又は、
−  前記近位フローセンサ（４４）の測定信号の、相前後して発生する、直接連続する変化値の合計値の、第５の基準値に対する比が、所定の基準閾値を下回る場合、及び、
−  前記遠位フローセンサ（４８）の測定信号の、相前後して発生する、直接連続する変化値の合計値の、第６の基準値に対する比が、所定の基準閾値を上回る場合に、前記フローセンサアセンブリ（４４、４８）のエラーを推測するように、
前記制御装置（１８）が構成されていること、を特徴とする、請求項１から７のいずれか一項に記載の人工呼吸器。
【請求項９】
付加的に、
−  前記近位フローセンサ（４４）の測定信号の、相前後して発生する、直接連続する変化値の合計値が、所定の第１の合計閾値を上回る場合、及び／又は、
−  前記遠位フローセンサ（４８）の測定信号の、相前後して発生する、直接連続する変化値の合計値が、所定の第２の合計閾値を上回る場合にのみ、前記フローセンサアセンブリ（４４、４８）のエラーを推測するように、前記制御装置（１８）が構成されていることを特徴とする、請求項８に記載の人工呼吸器。
【請求項１０】
前記第３の基準値及び／又は前記第５の基準値が、前記近位フローセンサ（４４）の測定信号値であることを特徴とする、請求項８又は９に記載の人工呼吸器。
【請求項１１】
前記第４の基準値及び／又は前記第６の基準値が、前記遠位フローセンサ（４８）の測定信号値であることを特徴とする、請求項８から１０のいずれか一項に記載の人工呼吸器。
【請求項１２】
前記近位フローセンサ（４４）及び／又は前記遠位フローセンサ（４８）の測定信号の変化値の値が、所定の閾値（７８）を上回る場合に、合計値を形成するための、変化値の合計が開始することを特徴とする、請求項８から１１のいずれか一項に記載の人工呼吸器。
【請求項１３】
前記制御装置（１８）が、前記フローセンサアセンブリ（４４、４８）の測定信号を、フィルタリングによって、又は、１よりも高次のデジタルフィルタを用いて、平滑化するように構成されており、前記制御装置（１８）は、さらに、平滑化された測定信号に基づいて変化値を検出するように構成されていることを特徴とする、請求項１から１２のいずれか一項に記載の人工呼吸器。
【請求項１４】
前記近位フローセンサ（４４）及び前記遠位フローセンサ（４８）が、それぞれ呼吸毎に、前記呼吸に割り当てられたガスフローを表すまさに１つの測定値を供給することを特徴とする、請求項１から１３のいずれか一項に記載の人工呼吸器。
【請求項１５】
前記近位フローセンサ（４４）が、圧力差センサであることを特徴とする、請求項１から１４のいずれか一項に記載の人工呼吸器。
【請求項１６】
前記制御装置（１８）が、エラーを推測した場合に、アラームを発するように構成されており、前記近位フローセンサ（４４）の測定信号の処理は継続されることを特徴とする、請求項１から１５のいずれか一項に記載の人工呼吸器。
【請求項１７】
前記第３の基準値及び／又は前記第５の基準値が、前記変化値の合計の開始時又は開始直前における、前記近位フローセンサ（４４）の測定信号値であることを特徴とする、請求項１０に記載の人工呼吸器。
【請求項１８】
前記第４の基準値及び／又は前記第６の基準値が、前記変化値の合計の開始時又は開始直前における、前記遠位フローセンサ（４８）の測定信号値であることを特徴とする、請求項１１に記載の人工呼吸器。
【請求項１９】
前記制御装置（１８）が、前記フローセンサアセンブリ（４４、４８）の測定信号を、移動平均の形成によって若しくは移動加重平均の形成によって、又は、２よりも高次のデジタルフィルタ若しくは４次のデジタルフィルタを用いて、平滑化するように構成されていることを特徴とする、請求項１３に記載の人工呼吸器。